(57)【要約】【課題】  不正器具を使ってメダルセンサを誤作動させ、メダルの投入を擬似的に作り出す等の不正行為を確実に防止する。【解決手段】  メダル選別装置（１００）に備えられるメダルセンサ（１９０）において、各フォトセンサ（１９１、１９２）の両側面に平板状の壁部材（２１０、２２０）を貼り付けることで、メダルの案内通路側に突出し当該案内方向に対向する突出部（２１１、２２１）を形成する。これにより、メダル選別装置内に侵入した不正器具の更なる侵入を阻止し、また不正器具の設置を防止する。【選択図】  図５
2006296948.tif 000002
【特許請求の範囲】
【請求項１】
受発光素子を同一面内に設けた光センサを、メダルの案内通路に対向させて配置したメダルセンサを備えてなる遊技機用メダル選別装置であって、
前記光センサの側面に、前記案内通路側に突出し当該案内方向に対向する壁部を設けたことを特徴とする遊技機用メダル選別装置。
【請求項２】
前記壁部は、メダルの当該案内方向において、少なくとも上流側の前記光センサの側面に貼り付けられて設けられることを特徴とする請求項１に記載の遊技機用メダル選別装置。
【発明の詳細な説明】
【技術分野】
【０００１】
本発明は、スロットマシン、パチンコその他の遊技機内に備えられ、当該遊技をする際に投入された規定のメダルを選別して検知するメダル選別装置に関し、更に詳しくは、不正器具の侵入により作り出される擬似的なメダル投入を防止する対策を施した遊技機用のメダル選別装置に関する。
【背景技術】
【０００２】
従来、スロットマシン、パチンコ等の遊技機内には、当該遊技をするために遊技者が投入する円板形状の遊技媒体（以下、単に「メダル」という）の適否を判別し規定のメダルのみを選別するメダル選別装置が設けられている（例えば、特許文献１参照）。
【０００３】
【特許文献１】特開２００１−１５５２２３号公報
【０００４】
この種のメダル選別装置は、投入されたメダルが一定の寸法形状である等の所定の条件を満たしているか否かを判別するメダル選別手段と、リールが回転中である等、遊技機が新たなメダルの投入を禁止する状態で投入されたメダルを強制的に排除する強制排除手段と、メダル選別手段及び強制排除手段を通過して受け入れたメダルを検知するメダルセンサとから主に構成されている。
【０００５】
従来のメダルセンサは、発光素子と受光素子からなる反射型の光センサを有しており、上述の強制排除手段から導かれるメダルの案内通路に沿って２個の光センサが並べて配置されている。そして、各光センサが、その前面を通過するメダルによって反射される反射光を検知し、そのタイミング差でメダルの移動を検知する手法が一般的に採られている。
【０００６】
ところで、近年、図１に示されるように、メダル選別装置９００に不正器具Ｆを侵入させ、その先端に設けた発光素子Ｆｌを発光させることにより、メダルの通過と同じ受発光タイミングを擬似的に再現し、メダルセンサ９０１、９０２を誤作動させる不正行為が問題となっている。かかる不正器具Ｆが使用されると、メダルの投入を擬似的に作り出すことができ、遊技を提供するホールにとっては大きな損害を被るおそれがあった。このような問題に対処し、最近では、所定の信号で変調したパルス状の光を発光素子が発光し、その信号と同期する反射光を受光素子が受光した場合のみ検知動作する、いわゆるパルス変調による検知方式が採用されてきている。
【発明の開示】
【発明が解決しようとする課題】
【０００７】
しかし、このようなメダル選別装置における不正対策の技術進歩に追随して、上述の不正器具も巧妙化してきており、例えば、上述したパルス変調方式で検知するメダルセンサに対しては、発光素子が発光するパルス光に基づいて偽の同期光を受光素子に照射する不正器具も闇に出回っている。このように、従来の方式によるメダル選別装置によっては、かかる不正器具を使った不正行為を確実に防止できるものとはいえなくなってきた。
【０００８】
本発明は、こうした従来の問題に鑑みてなされたものであり、不正器具を使ってメダルセンサを誤作動させ、メダルの投入を擬似的に作り出す等の不正行為を確実に防止する遊技機用メダル選別装置を提供することを目的としている。
【課題を解決するための手段】
【０００９】
上述した課題を解決するため、請求項１に記載の発明は、受発光素子を同一面内に設けた光センサ（フォトセンサ１９１、１９２）を、メダルの案内通路に対向させて配置したメダルセンサ（１９０）を備えてなる遊技機用メダル選別装置（１００）であって、前記光センサの側面に、前記案内通路側に突出し当該案内方向に対向する壁部（突出部２１１、２２１）を設けたことを特徴とする。
【００１０】
請求項１に記載の遊技機用メダル選別装置（１００）によれば、不正器具がメダルの案内通路に侵入しメダルセンサの近くまで到達した場合でも、当該案内方向に対向する壁部（突出部２１１、２２１）に阻まれ、不正器具を更に奥まで侵入させることは困難となる。これにより、メダルセンサの前記面上に不正器具を設置して誤作動させる等の不正行為ができなくなる。
【００１１】
また、案内通路側に突出する壁部（突出部２１１、２２１）により、光センサに近接して不正器具を設置することができず、メダルの投入を擬似的に作り出す不正行為を確実に防止することができる。
【００１２】
請求項２に記載の発明は、請求項１に記載の遊技機用メダル選別装置（１００）であって、前記壁部（壁部材２１０）は、メダルの当該案内方向において、少なくとも上流側の前記光センサ（１９１）の側面に貼り付けられて設けられることを特徴とする。
【００１３】
請求項２に記載の遊技機用メダル選別装置（１００）によれば、メダルの案内方向において上流側の光センサ（１９１）の側面に、案内通路側に突出する壁部（壁部材２１０）を貼り付けて設けたので、不正器具をメダルセンサ（１９０）に近接して設置できず、誤作動を防止する。
【発明の効果】
【００１４】
上述したように、本発明の遊技機用メダル選別装置によれば、メダルセンサを構成する光センサの側面に、メダルの案内通路側に突出し当該案内方向に対向する壁部を設けたので、不正に侵入した不正器具をメダルセンサに近接して設置することができなくなる。これにより、メダルセンサを誤作動させたり、またはメダルの投入を擬似的に作り出す等の不正行為を確実に防止することができる。
【発明を実施するための最良の形態】
【００１５】
本発明の好適な一実施形態として、スロットマシンに搭載されるメダル選別装置を説明する。まず、本発明が適用される遊技機の例として、スロットマシンの構成を図２及び図３を参照して説明する。ここで、図２はスロットマシン１の外観構造を表した斜視図、図３はスロットマシン１の前扉を開放してその内部の構造を表した図である。
【００１６】
図２において、スロットマシン１は、前面に開口を有する略矩形状の箱体である筐体２と、当該筐体２と蝶番機構により開閉可能に取り付けられる前扉３とを備えている。
【００１７】
前扉３の前面側は、上部パネル部４と下部パネル部５に概ね分けられ、これらの前面は視覚効果を高めてデザインされた、いわゆる化粧板として硬質プラスチックにより一体的に形成されている。また、下部パネル部５の下方には、入賞時等に払い出されるメダルを貯留するための受皿部６ａが一体的に形成された受皿ユニット６が設けられている。
【００１８】
また、上部パネル部４と下部パネル部５との間には、ゲーム操作を行うためのスイッチ類を配置した操作卓７が形成されている。なお、上部パネル部４、操作卓７、下部パネル部５及び受皿ユニット６は、遊技者側に面し、これらによってスロットマシン１の「フロントマスク」が構成されている。
【００１９】
上部パネル部４のほぼ中央には、側枠を残して略長方形に大きく開口する開口部４１が形成されている。そして開口部４１を塞ぐように、パネル面１０を有するパネルユニット１１が前扉３の裏面側より取り付けられている。
【００２０】
パネル面１０の中央には、略長方形に区画された透明な表示窓１２が形成され、この表示窓１２を透して、筐体２内に設けられているリールユニット８０の３個のリール８１ａ、８１ｂ、８１ｃが目視される。なお、リールユニット８０は、円筒形状のリール８１ａ、８１ｂ、８１ｃを回転軸方向に並べて配置し、各リールの外周面には複数種類の図柄が描かれている。遊技者は、これら複数の図柄のうち、前面側に位置する縦３個、横３列の図柄を表示窓１２を透して目視することができる。
【００２１】
また、パネル面１０には、裏面側に設けられている不図示のランプを点灯させることで、例えば入賞をするためのストップ操作をアシストする補助演出表示部１３と、スロットマシン１にクレジット（内部貯留）されているメダル数や、入賞によって獲得したメダル数、又は入賞役への当選回数等の情報を数値表示する遊技情報表示部１４が、それぞれ表示窓１２の周辺に設けられている。
【００２２】
上部パネル部４の周縁部分には、高輝度発光ダイオード等のランプ類を内蔵する演出用照明部４３ａ、４３ｂ、４３ｃが配置されている。また、スピーカを内蔵しゲームに係る効果音を発生させる演出用放音部４４ａ、４４ｂが上部パネル部４の左右にそれぞれ配置されている。更に、演出用放音部４４ａ、４４ｂの間には、透明な硬質プラスチック板等が嵌め込まれて形成された表示窓に面して液晶表示ユニット４５が配置されている。なお、液晶表示ユニット４５は、ゲームの演出に係る映像を主に表示する。
【００２３】
操作卓７の上面右側には、メダルを投入するための投入口を有するメダル投入部７１が設けられている。また、当該上面の左側には、押しボタンスイッチである２個のベットボタン７２、７３が設けられている。なお、ベットボタン７２、７３はスロットマシンの１ゲームに賭けるメダルの枚数を提示するためのボタンスイッチである。ゲームを開始する際に、ベットボタン７２が押圧操作されることで、貯留されているメダルから２枚のメダルがゲームに対して賭けられ、ベットボタン７３が押圧操作されることで３枚のメダルが賭けられる。特に、ベットボタン７３は、１回の操作で最大枚数のメダルを当該ゲームに賭けることから「マックスベットボタン」と呼ばれている。
【００２４】
操作卓７の前面左側には、リール８１ａ、８１ｂ、８１ｃの回転開始を指示するためのスタートレバー７４が設けられている。スタートレバー７４は、先端に球形の操作ノブを有する上下左右に揺動可能な操作旱を備え、操作旱が傾倒操作されるとオン、操作旱から手が離されるとスプリングの付勢力によって自動的に元の位置に戻ってオフ状態となるスイッチユニットで形成されている。
【００２５】
また、操作卓７の中央には、各リール８１ａ、８１ｂ、８１ｃの回転停止をそれぞれ指示するためのストップボタン７５ａ、７５ｂ、７５ｃが各リールの配列に対応して並設されている。
【００２６】
操作卓７の前面右側には、前扉３を開錠するための鍵が挿入される鍵穴７６が設けられている。スロットマシン１の管理者等が鍵穴７６に所定の鍵を挿入して開錠操作すると、蝶番機構によって筐体２に取り付けられている前扉３を前方へ開くことができ、また前扉３を筐体２側に閉じると、自動的にこれらを施錠するようになっている。
【００２７】
下部パネル部５には、スロットマシン１のモデルタイプを遊技者へ認識させる等のため、登場キャラクターの絵などを表示するパネル５１が設けられている。下部パネル部５の下側に配置された受皿ユニット６には、入賞時にメダルを排出するメダル払出口６１と、払い出されたメダルを貯める受皿部６ａと、スピーカを内蔵し演出効果音を発生させる演出用放音部６２ａ、６２ｂがそれぞれ配置されている。
【００２８】
次に、図３を参照して、筐体２の内部構造と前扉３の裏面構造とを説明する。同図において、筐体２内の上部には、ＣＰＵ、ＲＯＭ、ＲＡＭ等を備えるマイクロコンピュータから形成される制御基板であって、スロットマシン１の全体動作を集中して制御する主制御基板２０が、硬質プラスチックのケースに収納されて取り付けられている。
【００２９】
筐体２内の中央には、リール８１ａ、８１ｂ、８１ｃを備えるリールユニット８０が設けられている。リールユニット８０は、前扉３のパネルユニット１１に形成された表示窓１２に対しリール８１ａ、８１ｂ、８１ｃが対向するように、筐体２のフレーム２１に位置決めされて取り付けられている。
【００３０】
また、リールユニット８０の上部には、各リール８１ａ、８１ｂ、８１ｃを回転駆動するステッピングモータへ４相の駆動パルス信号を送出する回胴装置基板が取り付けられており、主制御基板２０が回胴装置基板に回胴駆動（励磁）パルスデータを送出することで、各リールの回転と制動及び停止の制御を行っている。
【００３１】
リールユニット８０の下方には、メダル投入部７１から投入されたメダルを貯留し入賞の配当の際に排出口２２ａからメダルを排出するホッパ装置２２と、ホッパ装置２２から溢れたメダルを収容する補助貯留部２３と、スロットマシン１に内蔵される各機器へ電力を配電する主電源装置２４が設けられている。
【００３２】
次に、前扉３の裏面側上部には、上述の演出用放音部４４ａ、４４ｂに対向してスピーカ３１ａ、３１ｂが取り付けられている。また、図３には示していないが、スピーカ３１ａ、３１ｂの間に、液晶表示ユニット４５が取り付けられ、液晶表示ユニット４５の裏面側に当該液晶表示ユニット４５等を制御駆動するサブ制御基板３０が取り付けられている。すなわち、スロットマシン１の全体の動作は、筐体２側に設けられている主制御基板２０によって統括制御されており、サブ制御基板３０は、液晶表示ユニット４５による演出映像の表示制御、演出用照明部４３ａ、４３ｂ、４３ｃ等を使った照明制御、及び演出用放音部４４ａ、４４ｂ、６２ａ、６２ｂを使った演出効果音制御など、ゲームの演出に係る制御を主に行なっている。
【００３３】
サブ制御基板３０の下方には、透明な表示窓１２が形成されたパネル面（１０）を有するパネルユニット１１が配置される。また、パネルユニット１１は、リール８１ａ、８１ｂ、８１ｃの外周面を照射して図柄を明るく表示させるための冷陰極蛍光ランプ１５と、冷陰極蛍光ランプ１５を駆動するインバータ１６と、補助演出表示部１３の光源としてのランプ１７と、スタートレバー７４及びストップボタン７５ａ、７５ｂ、７５ｃ等の操作スイッチ類の出力信号を主制御基板２０へ転送する中継基板であるとともに遊技情報表示部（１４）の７セグＬＥＤ等を搭載する中央表示基板１８とを備え、これらがユニット化されて形成されている。
【００３４】
パネルユニット１１の下方には、本発明に関わるメダル選別装置１００が取り付けられている。メダル選別装置１００は、メダル投入部７１に投入されたメダルが一定規格の寸法形状を有しているか否かを判別し、規定のメダルのみを選別する。また、メダル選別装置１００は、受発光素子を有する反射型のフォトセンサ（１９１、１９２）を２個備えたメダルセンサ（１９０）を搭載している。すなわち、メダル選別装置１００は、各センサの前面を通過するメダルの反射光によるタイミング差からその移動速度を検出し、これが一定以下であると判定した場合に、メダルの投入が正しくされた旨を示すメダル投入信号を主制御基板２０へ送出する。
【００３５】
メダル選別装置１００の下方には、選別された規定のメダルをホッパ装置２２へ案内するためのガイド部材３３と、メダル選別装置１００により排除されたメダル（又は異物）をメダル排出口６１へ案内するためのガイド部材３４とが設けられている。また、前扉３の裏面下部には、入賞または貸し出しの際にホッパ装置２２の排出口２２ａから排出されたメダルをメダル排出口６１へ案内するためのガイド部材３５が設けられている。更に、メダル排出口６１に隣接して、上述した演出用放音部６２ａ、６２ｂに対向するスピーカ３６ａ、３６ｂが取り付けられている。
【００３６】
かかる構成のスロットマシン１は、先のゲームにおいて入賞しメダルの払い出しが完了した時、又は先のゲームにおいてハズレが確定すると待機状態となる。この状態において、ベットボタン７２または７３の押圧操作がされると、内部に貯留したメダル（クレジット）から当該ゲームにメダルが賭けられ、ゲームが開始する。
【００３７】
ゲーム開始の状態で、スタートレバー７４が傾倒操作されると、主制御基板２０はリール８１ａ、８１ｂ、８１ｃを一斉に回転させ始める。同時に入賞役を内部的な処理で抽選し、その結果をフラグ（メモリ）に記憶する。
【００３８】
次に、遊技者がストップボタン７５ａ、７５ｂ、７５ｃを任意の順番で押圧操作すると、主制御基板２０は、それに従い順次、対応するリールを停止させる。そして、全てのリール８１ａ、８１ｂ、８１ｃが停止したことを検知すると、各リールに表示された図柄の組み合わせが、上述のフラグに記憶された入賞役に係る図柄の組み合わせと一致しているか否か判定する。これらが一致したときには、当該入賞が確定し、その入賞役の種類に応じた配当数のメダルをクレジットに加算する。入賞の配当によりクレジットが上限を超える場合には、ホッパ装置から超過分のメダルを受皿部６ａへ払い出している。
【００３９】
次に、スロットマシン１等に搭載される本発明に関わるメダル選別装置１００を説明する。ここで、図４は、メダル選別装置１００の正面側のカバー部材を一部破断して、その内部構造を主に表した外観図である。同図に示されるように、メダル選別装置１００は、前面が開放する矩形状の箱体として硬質プラスチックにより一体形成したケース１１０に対し、その上半分をほぼ覆うように金属板からなるゲートプレート１２０が開閉可能に取り付けられている。ゲートプレート１２０とケース１１０の背面とによって生じる隙間に、メダル入口１３０から、ゲートプレート１２０の下端の転送レール部１４０を経由し、右下方のメダル出口１５０へ通じるメダル案内通路が形成されている。
【００４０】
転送レール部１４０は、ゲートプレート１２０の下端部分がケース１１０側に斜めに折り曲げられてレール面が形成され、このレール面上を円板状のメダルの周面が当接して、下流側のメダル出口１５０へと直線的に転動落下するように形成されている。また、転送レール部１４０には、その下縁から上縁までの高さが規定のメダルの最小の規格外径に相当する切欠き部１４１と、切欠き部１４１の端から分離し、外方（図面において手前側）に傾斜する傾斜壁部１４２が形成されている。
【００４１】
例えば、規格以下の外径を有するメダルが転送レール部１４０に達すると、外方側へ常時付勢される押し付けレバー１６０により、当該メダルが押されて切欠き部１４１から外れ、傾斜壁部１４２側へ倒される。これにより、定められた規格寸法より小さな外径を有するメダルは、転送レール部１４０のレール面から逸脱し、下方へ落下するようになっている。
【００４２】
また、メダル入口１３０付近には、規格以上の外径を有するメダルを通過させない最大径規制手段と、規格以上の厚みを有するメダルを通過させない板厚規制手段が形成され、上述した最小径規制手段を含むこれら手段により、規定のメダルを選別するメダル選別手段１７０が形成されている。
【００４３】
上述の転送レール部１４０の中流位置には、メダル選別手段１７０によって規定のメダルとして振り分けられたメダルを強制的に排除する強制排除手段１８０が設けられている。この強制排除手段１８０は、転送レール部１４０内へ突出または退避するように回動可能に軸支される金属製の規制爪部材１８１と、ゲートプレート１２０に付勢手段を介して回動自在に軸支され、転送レール部１４０を通過するメダルが傾斜壁部１４２側へ倒れないようカバーする角度に常時付勢されている案内レバー１８２とを備えている。
【００４４】
また、規制爪部材１８１の背後には、図示はしていないがソレノイドが設けられ、主制御基板２０により所要の駆動電流がソレノイドに供給されると、上述の規制爪部材１８１を磁力で引き付け転送レール部１４０から退避させる。この状態で投入されたメダルＭは、強制排除手段１８０を通過し、メダルセンサ１９０へ送られる。
【００４５】
また、リール８１ａ、８１ｂ、８１ｃが回転中である等、スロットマシン１が新たなメダルの受け付けを禁止する状態にあるとき、ソレノイドに対しては駆動電流が供給されず、規制爪部材１８１は、転送レール部１４０内に突出する回動位置にある。この状態においてメダルＭが強制排除手段１８０に転送されると、当該メダルＭは、規制爪部材１８１に衝突し、案内レバー１８２の付勢力に勝って傾斜壁部１４２側へ倒される。これにより、メダルＭは、転送レール部１４０のレール面から落下し、下方のガイド部材（３４）側へ排除される。
【００４６】
転送レール部１４０の下流位置には、上述の強制排除手段１８０を通過したメダルを検出するメダルセンサ１９０が設けられている。メダルセンサ１９０は、メダルの移動方向（案内方向）に沿って並べて配置された２個の反射型のフォトセンサ１９１、１９２を有して形成されている。なお、反射型のフォトセンサ１９１、１９２は、それぞれの前面に、発光素子と受光素子が並設された受発光部が形成されている。フォトセンサ１９１、１９２は、所定の信号周期で変調したパルス光を発光素子が周期的に発光し、その信号と同期する反射光を受光素子が受光した場合のみ検知動作する、いわゆるパルス変調方式が採用されている。
【００４７】
メダル選別装置１００は、メダルＭが転送レール部１４０に案内されて各フォトセンサ１９１、１９２の前面を通過すると、これら検知信号のタイミングが予め定められた順序であって、かつ許容する時間差内であると判定した場合、これを正規のメダルの検出とみなし、メダル投入（コマンド）信号を主制御基板２０へ送信する。主制御基板２０は、メダル選別装置１００からメダル投入信号を受信すると、クレジットを１だけインクリメントする。
【００４８】
このメダルセンサ１９０には、不正器具の侵入を防止し、また不正器具によるフォトセンサ１９１、１９２の誤作動を防止する機能形態を有しており、以下その具体的な実施例を説明する。なお、本発明の実施形態の説明において、「メダルの移動方向」と「メダル案内通路による案内方向」とは、同一方向、すなわち同じ意味において使用している。
【００４９】
図５（ａ）は、メダル選別装置１００に搭載され、不正行為を防止する一手段である壁部材２１０、２２０を施したメダルセンサ１９０を上から見た平面図、図５（ｂ）はその外観を表した斜視図である。
【００５０】
メダルセンサ１９０は、上述したように、メダルの案内通路に沿って反射型のフォトセンサ１９１、１９２を並べて配置している。それぞれのフォトセンサ１９１、１９２は、可視光または近赤外光を発光する発光素子と、発光素子が発光し検知対象物（メダル）によって反射する光を受光する受光素子とを備え、これらがセンサの前面、すなわち同一面上に配置されている。ただし、当該センサの前面から一定の距離にある対象物を的確に検知するために、受光素子と発光素子との間隔、及びセンサの前面と対象物との検知距離から求められる角度で各受発光素子が互いに対向する向きに設置されている。
【００５１】
メダルの案内方向において上流と下流側の各フォトセンサ１９１、１９２の側面に、四角形の平板形状を有する壁部材２１０、２２０が、これらの先端部分（突出部２１１、２２１）がメダルの案内通路側に突出し、当該案内方向に対向するように、それぞれ接着剤等により貼り付けられる。
【００５２】
図６は、メダルセンサ１９０に取り付けられた壁部材２１０、２２０によって、不正器具Ｆの侵入を阻止し、またフォトセンサ１９１、１９２の誤作動を防止する動作を説明するための平面図である。同図（ａ）に示されるように、不正器具Ｆがメダル選別装置（１００）に侵入し、メダルセンサ１９０の近くまで到達した場合、メダル案内通路の案内方向に対向し上流側に位置する壁部材２１０（突出部２１１）に阻まれ、不正器具Ｆを更に奥まで侵入させることは困難となる。したがって、メダルセンサ１９０の前面に不正器具Ｆを設置して誤作動させる等の不正行為ができなくなる。
【００５３】
また、同図（ｂ）に示されるように、仮に壁部材２１０を超えて不正器具Ｆを下流側のフォトセンサ１９２の位置まで侵入させたとしても、メダルの案内通路側に突出する突出部２１１、２２１が形成されているため、フォトセンサ１９１、１９２に近接して不正器具Ｆを設置することができなくなる。一方、フォトセンサ１９１、１９２は、発光素子が発光したパルス光に同期した反射光を受光した場合にのみ検知動作するように形成されており、不正器具Ｆがフォトセンサ１９１、１９２の前面から離れた条件で、かかる偽の同期光を再現することは極めて困難である。すなわち、不正器具Ｆの使用に際しては、フォトセンサの前面に近接させる必要があるが、突出部２１１、２２１が形成されていることにより、これらの突出量Ｄよりも近接して設置することはできない。したがって、不正器具Ｆを使ってフォトセンサ１９１、１９２を誤作動させることは不可能であり、メダルの投入を擬似的に作り出すような不正行為を確実に防止することができる。
【００５４】
なお、本実施形態では、上述の壁部材２１０、２２０を既存のメダルセンサ１９０に追加装着して突出部２１１、２２１を設ける例を説明したが、メダルセンサの前面に上述の突出部２１１、２２１を予め一体的に形成するものであってもよい。
【００５５】
なお、図７に示されるように、壁部材２１０をメダルの案内方向における上流側のフォトセンサ１９１の側面のみに貼り付けて、突出部２１１を形成してもよい。
【図面の簡単な説明】
【００５６】
【図１】図１は、不正器具を使った従来のメダル選別装置に対する不正行為を例示する図である。
【図２】図２は、本発明が適用されるスロットマシンの外観構造を表した斜視図である。
【図３】図３は、スロットマシンの前扉を開放してその内部の構造を表した図である。
【図４】図４は、本発明の一実施形態によるメダル選別装置の正面外観図であって、カバー部材を一部破断して内部の構造を主に表した図である。
【図５】図５（ａ）は、本発明の一実施形態によるメダル選別装置に搭載されるメダルセンサの平面図であり、図５（ｂ）はそのメダルセンサの外観を表した斜視図である。
【図６】図６は、本発明の実施形態によるメダル選別装置において、侵入した不正器具に対し不正行為を防止する動作を説明するための図である。
【図７】図７は、本発明の別の実施形態による装着部材が装着されたメダルセンサを表す平面図である。
【符号の説明】
【００５７】
１…スロットマシン、  ２…筐体、  ３…前扉、  ４…上部パネル部、
５…下部パネル部、  ６…受皿ユニット、  ６ａ…受皿部、  ７…操作卓、
１０…パネル面、  １１…パネルユニット、  １２…表示窓、  １３…補助演出表示部、
１４…遊技情報表示部、  １５…冷陰極蛍光ランプ、  １６…インバータ、  １７…ランプ、
１８…中央表示基板、  ２０…主制御基板、  ２１…フレーム、
２２…ホッパ装置、  ２２ａ…排出口、  ２３…補助貯留部、  ２４…主電源装置、
４１…開口部、  ４３ａ、４３ｂ、４３ｃ…演出用証明部、  ４４ａ、４４ｂ…演出用放音部、
４５…液晶表示ユニット、  ５１…パネル、
６１…メダル払出口、  ６２ａ、６２ｂ…演出用放音部、  ７１…メダル投入部、
７２、７３…ベットボタン、  ７４…スタートレバー、
７５ａ、７５ｂ、７５ｃ…ストップボタン、  ７６…鍵穴、
８０…リールユニット、  ８１ａ、８１ｂ、８１ｃ…リール、
１００…メダル選別装置、
１１０…ケース、  １２０…ゲートプレート、  １３０…メダル入口、
１４０…転送レール部、  １４１…切欠き部、  １４２…傾斜壁部、
１５０…メダル出口、  １６０…押し付けレバー、  １７０…メダル選別手段、
１８０…強制排除手段、  １８１…規制爪部材、  １８２…案内レバー、
１９０…メダルセンサ、  １９１、１９２…フォトセンサ、
２１０…壁部材、  ２１１…突出部、  ２２０…壁部材、  ２２１…突出部
【図１】
2006296948.tif 000003
【図２】
2006296948.tif 000004
【図３】
2006296948.tif 000005
【図４】
2006296948.tif 000006
【図５】
2006296948.tif 000007
【図６】
2006296948.tif 000008
【図７】
2006296948.tif 000009